(57)【特許請求の範囲】
【請求項１】
原稿から原画像を読み取り、前記原画像のデータを生成する画像読取部と、
前記原画像のデータから予め設定された補足画像条件を満たす補足画像を検出する補足画像検出部と、
前記原画像から前記補足画像を除去した二次画像のデータを生成する二次画像生成部と、
前記原稿の識別情報を取得する識別情報取得部と、
前記識別情報の候補と第１宛先情報と第２宛先情報とが対応づけられた宛先情報を予め記憶する記憶部から、前記識別情報取得部によって得られた前記識別情報に対応する前記第１宛先情報および前記第２宛先情報を取得する宛先情報取得部と、
通信媒体を通じて、前記原画像のデータを前記宛先情報取得部によって得られた前記第１宛先情報が表す宛先へ送信し、前記二次画像のデータを前記宛先情報取得部によって得られた前記第２宛先情報が表す宛先へ送信するデータ送信部と、を備える画像処理装置。
【請求項２】
前記識別情報取得部は、前記原画像のデータから前記識別情報を表す識別画像を検出することによって前記識別情報を取得する、請求項１に記載の画像処理装置。
【請求項３】
前記補足画像条件が、前記補足画像の色または前記補足画像が存在する画像領域を指定する条件である、請求項１に記載の画像処理装置。
【請求項４】
前記識別情報の候補と例外処理の要否を表す例外指定情報とが対応づけられた例外対応情報を予め記憶する記憶部から、前記識別情報取得部によって得られた前記識別情報に対応する前記例外指定情報を取得する例外指定情報取得部を備え、
前記データ送信部は、前記例外処理が不要であることを表す前記例外指定情報が得られた場合には、前記二次画像のデータを前記第２宛先情報が表す宛先へ送信し、前記例外処理が必要であることを表す前記例外指定情報が得られた場合には、前記二次画像のデータに代えて前記原画像のデータを前記第２宛先情報が表す宛先へ送信する、請求項１から請求項３のいずれか１項に記載の画像処理装置。
【請求項５】
前記第２宛先情報が表す宛先へ送信された前記二次画像のデータに対応する前記原画像のデータおよびその送信先を特定可能な送信先情報を原画像記憶部へ記憶させる原画像記録部と、
前記二次画像のデータが前記第２宛先情報が表す宛先へ送信された後、予め定められた追送条件が成立するか否かを判定する追送条件判定部と、
前記追送条件が成立した場合に、前記原画像記憶部から前記原画像のデータおよび前記送信先情報を取得する追送画像取得部と、を備え、
前記追送条件が成立した場合に、前記データ送信部は、前記通信媒体を通じて、前記追送画像取得部により得られた前記原画像のデータを、これに対応する前記送信先情報によって特定される宛先へ送信する、請求項１から請求項４のいずれか１項に記載の画像処理装置。
【請求項６】
画像処理装置により実行される画像処理方法であって、
原稿から原画像を読み取り、前記原画像のデータを生成する工程と、
前記原画像のデータから予め設定された補足画像条件を満たす補足画像を検出する工程と、
前記原画像から前記補足画像を除去した二次画像のデータを生成する工程と、
前記原稿の識別情報を取得する工程と、
前記識別情報の候補と第１宛先情報と第２宛先情報とが対応づけられた宛先情報を予め記憶する記憶部から、取得された前記識別情報に対応する前記第１宛先情報および前記第２宛先情報を取得する工程と、
通信媒体を通じて、前記原画像のデータを前記第１宛先情報が表す宛先へ送信し、前記二次画像のデータを前記第２宛先情報が表す宛先へ送信する工程と、を含む画像処理方法。
【発明の詳細な説明】
【技術分野】
【０００１】
本発明は、原稿から画像を読み取る機能を備える画像処理装置およびその画像処理装置により実行される画像処理方法に関する。
【背景技術】
【０００２】
一般に、スキャナーなどの画像処理装置は、原稿から画像を読み取り、ネットワークを通じて、読み取った画像データを指定された宛先へ送信する機能を備える。
【０００３】
また、前記スキャナーの機能を備える複合機が、読み取った画像データに含まれる文字画像を認識することによって配布先を判定し、判定した前記配布先へ前記画像データを前記ネットワークを通じて送信することが知られている（例えば、特許文献１参照）。
【先行技術文献】
【特許文献】
【０００４】
【特許文献１】特開平９−２３２９２号公報
【発明の概要】
【発明が解決しようとする課題】
【０００５】
ところで、小学校などの教育機関において、テストの答案の添削者は、解答の正誤を表すマル印およびバツ印などの採点情報に加え、補足情報を解答用紙に記入する場合が多い。前記補足情報は、例えば、不正解のテスト項目に関する正しい解答の情報および誤答の内容に応じた解説情報などである。
【０００６】
また、添削後の前記解答用紙を受け取った生徒は、不正解のテスト項目の解答のやり直しを行う。その際、前記生徒が、最初は前記補足情報を見ずに前記やり直しを行えることが好ましい場合がある。この場面においては、前記補足情報が前記答案用紙に示されていないことが望ましい。
【０００７】
一方、前記テストの添削に関わっていない前記生徒の保護者などの補助指導者が、添削後の前記テストの前記やり直しについて、前記生徒への指導を行う場合がある。この場合、前記補助指導者が前記補足情報を参照できれば、より適切な指導が行われやすい。この場面においては、前記補足情報が前記答案用紙に示されていることが望ましい。
【０００８】
本発明の目的は、テストの答案用紙などの原稿の画像に、その画像を参照する人に応じて要否が異なる補足情報の画像が含まれる場合に、参照する人に適した内容の原稿画像を提供することができる画像処理装置および画像処理方法を提供することにある。
【課題を解決するための手段】
【０００９】
本発明の一の局面に係る画像処理装置は、画像読取部と、補足画像検出部と、二次画像生成部と、識別情報取得部と、宛先情報取得部と、データ送信部とを備える。前記画像読取部は、原稿から原画像を読み取り、前記原画像のデータを生成する。前記補足画像検出部は、前記原画像のデータから予め設定された補足画像条件を満たす補足画像を検出する。前記二次画像生成部は、前記原画像から前記補足画像を除去した二次画像のデータを生成する。前記識別情報取得部は、前記原稿の識別情報を取得する。前記宛先情報取得部は、記憶部から、前記識別情報取得部によって得られた前記識別情報に対応する前記第１宛先情報および前記第２宛先情報を取得する。前記記憶部は、前記識別情報の候補と第１宛先情報と第２宛先情報とが対応づけられた宛先情報を予め記憶する。前記データ送信部は、通信媒体を通じて、前記原画像のデータを前記宛先情報取得部によって得られた前記第１宛先情報が表す宛先へ送信し、前記二次画像のデータを前記宛先情報取得部によって得られた前記第２宛先情報が表す宛先へ送信する。
【００１０】
本発明の他の局面に係る画像処理方法は、画像処理装置によって実行され、以下の各工程を含む。当該方法は、原稿から原画像を読み取り、前記原画像のデータを生成する工程を含む。さらに、前記方法は、前記原画像のデータから予め設定された補足画像条件を満たす補足画像を検出する工程を含む。さらに、前記方法は、前記原画像から前記補足画像を除去した二次画像のデータを生成する工程を含む。さらに、前記方法は、前記原稿の識別情報を取得する工程を含む。さらに、前記方法は、記憶部から、取得された前記識別情報に対応する第１宛先情報および第２宛先情報を取得する工程を含む。前記記憶部は、前記識別情報の候補と前記第１宛先情報と前記第２宛先情報とが対応づけられた宛先情報を予め記憶する。さらに、前記方法は、通信媒体を通じて、前記原画像のデータを前記第１宛先情報が表す宛先へ送信し、前記二次画像のデータを前記第２宛先情報が表す宛先へ送信する工程を含む。
【発明の効果】
【００１１】
本発明によれば、テストの答案用紙などの原稿の画像に、その画像を参照する人に応じて要否が異なる補足情報の画像が含まれる場合に、参照する人に適した内容の原稿画像を提供することができる画像処理装置および画像処理方法を提供することが可能になる。
【図面の簡単な説明】
【００１２】
【図１】図１は、実施形態に係る画像処理装置を含む答案管理システムの構成図である。
【図２】図２は、実施形態に係る画像処理装置のブロック図である。
【図３】図３は、ファイルサーバーのブロック図である。
【図４】図４は、第１例に係る添削答案の原画像の図である。
【図５】図５は、実施形態に係る画像処理装置における答案分別配信処理の手順の一例を示すフローチャートである。
【図６】図６は、実施形態に係る画像処理装置における答案追送処理の手順の一例を示すフローチャートである。
【図７】図７は、実施形態に係る画像処理装置における条件設定画面の一例を表す図である。
【図８】図８は、第２例に係る添削済み答案の原画像の図である。
【図９】図９は、第１例に係る添削済み答案の二次画像の図である。
【図１０】図１０は、実施形態に係る画像処理装置が参照する登録宛先データの構成の一例を表す図である。
【図１１】図１１は、実施形態に係る画像処理装置が記録する追送データの構成の一例を表す図である。
【発明を実施するための形態】
【００１３】
以下、添付図面を参照しながら、本発明の実施形態について説明する。なお、以下の実施形態は、本発明を具体化した一例であって、本発明の技術的範囲を限定する性格を有さない。
【００１４】
［答案管理システム１００の構成］
まず、図１を参照しつつ、実施形態に係る画像処理装置１０を含む答案管理システム１００の構成について説明する。
【００１５】
答案管理システム１００は、小学校などの教育機関において、教師などの添削者がテストの答案の添削を行った場合に、添削答案を生徒および補助指導者へ配布する作業を支援するシステムである。前記補助指導者は、前記生徒の保護者などである。
【００１６】
図１に示されるように、答案管理システム１００は、画像処理装置１０、ファイルサーバー７および情報端末８を含む。ファイルサーバー７は、画像処理装置１０からアップロードされるデータを保存し、保存したデータを情報端末８へ送信可能な情報処理装置である。
【００１７】
画像処理装置１０は、通信回線１０１を通じてファイルサーバー７と通信可能である。例えば、通信回線１０１が、画像処理装置１０をノードとするＬＡＮ（Local Area Network）１０２と、ＬＡＮ１０２から接続可能なインターネット１０３とを含むことが考えられる。ＬＡＮ１０２およびインターネット１０３は、通信媒体の一例である。
【００１８】
情報端末８は、前記生徒および前記補助指導者が試用するタブレットコンピューターまたはスマートフォンなどの情報処理装置である。情報端末８は、通信回線１０１を通じてファイルサーバー７と通信可能である。
【００１９】
例えば、情報端末８は、無線ルーターなどの通信中継器１０４を通じてインターネット１０３に接続可能である。情報端末８は、インターネット１０３を通じてファイルサーバー７からデータをダウンロードすることができる。
【００２０】
［画像処理装置１０］
画像処理装置１０は、原稿９００の画像を読み取り、通信回線１０１を通じて、読み取った画像のデータを指定された宛先へ送信する機能を備える（図２参照）。以下の説明において、原稿９００の画像のことを原画像ｇ０と称する。また、画像処理装置１０が原稿９００の画像を読み取ることによって得られる原画像ｇ０のデータのことを原画像データＤ０１と称する。
【００２１】
さらに、図２に示される画像処理装置１０は、原画像データＤ０１に各種の画像処理を施して加工する機能を備える。以下の説明において、原画像データＤ０１に対する画像処理によって得られる加工後の画像データのことを二次画像データＤ０２と称する。また、二次画像データＤ０２が表す画像のことを二次画像ｇ０１と称する。
【００２２】
図２に示される画像処理装置１０は、原稿９００から画像を読み取る機能およびシート材９０１へ画像を形成する画像形成装置の機能を兼ね備えた複合機である。なお、画像処理装置１０が、画像送信機能を兼ね備えるファクシミリ装置などであることも考えられる。なお、図２において、原稿９００およびシート材９０１が仮想線で示されている。
【００２３】
シート材９０１に形成される画像は、例えば、原稿９００から読み取られた原画像ｇ０、二次画像ｇ０１または他の装置から受信される印刷ジョブが表す画像などである。シート材９０１は、紙、コート紙、ハガキ、封筒、およびＯＨＰシートなどのシート状の画像形成媒体である。
【００２４】
画像処理装置１０は、主制御部１、操作表示部２、画像読取部２０、読取制御部３０、画像形成部４０、印刷制御部５０、通信部６０および画像処理部７０などを備える。
【００２５】
主制御部１、読取制御部３０、印刷制御部５０、通信部６０および画像処理部７０は、それぞれバス９に接続されおり、バス９を通じて相互にデータの受け渡しが可能である。
【００２６】
画像読取部２０は、原稿９００に光を走査する不図示の光学系、および原稿９００からの反射光の光量を画素ごとに検出して原画像データＤ０１を出力する不図示のイメージセンサーなどを備える。画像読取部２０は、原稿９００から原画像ｇ０を読み取り、原画像データＤ０１を生成する。
【００２７】
読取制御部３０は、画像読取部２０を制御して原画像データＤ０１を取得する。さらに、読取制御部３０は、バス９を通じて原画像データＤ０１を画像処理部７０などの他の機器に転送する。
【００２８】
画像形成部４０は、周知の電子写真方式またはインクジェット方式の画像形成処理によってシート材９０１に画像を形成する。
【００２９】
印刷制御部５０は、画像処理部７０から印刷用画像データを取得し、前記印刷用画像データに基づく画像をシート材９０１に形成する処理を画像形成部４０に実行させる。
【００３０】
通信部６０は、通信回線１０１を通じてファイルサーバー７などの外部装置との間でデータの送受信を行う。ＭＰＵ１１が実行する前記外部装置との間のデータの送受信は、全て通信部６０を通じて行われる。さらに、通信部６０は、バス９を通じて主制御部１、読取制御部３０および印刷制御部５０などの各機器とデータの受け渡しを行う。
【００３１】
画像処理部７０は、バス９を通じて他の機器から得た画像データなどに対する各種のデータ処理を実行する。画像処理部７０によるデータ処理の対象は、例えば、読取制御部３０から得られる原画像データＤ０１またはＬＡＮ１０２を通じて他の装置から得られる前記印刷ジョブなどである。
【００３２】
読取制御部３０、印刷制御部５０および画像処理部７０は、例えばＤＳＰ（Digital Signal Processor）またはＡＳＩＣ（Application Specific Integrated Circuit）などによって構成される。
【００３３】
操作表示部２は、ユーザーインターフェイスのデバイスであり、操作部および表示部を含む。前記操作部は、操作に従って情報を入力するデバイスであり、例えばタッチパネルおよび操作ボタンなどを含む。前記表示部は、情報を表示するデバイスであり、例えば液晶表示パネルおよび通知ランプなどを含む。
【００３４】
主制御部１は、画像処理装置１０を統括して制御する。例えば、主制御部１は、操作表示部２に操作メニューなどを表示させる。さらに、主制御部１は、操作表示部２に対する操作を通じて入力される入力情報および各種センサーの検出結果に応じて他の制御部に制御指令を出力する。
【００３５】
図２に示されるように、主制御部１は、ＭＰＵ（Micro Processor Unit）１１、ＲＡＭ（Random Access Memory）１２および二次記憶部１３などを備える。
【００３６】
ＭＰＵ１１は、各種の演算およびデータ処理を実行するプロセッサーである。ＲＡＭ１２は、ＭＰＵ１１に実行させるためのプログラムを一時記憶する揮発性の主記憶部である。
【００３７】
二次記憶部１３は、ＭＰＵ１１が参照する各種情報を記憶するコンピューター読取可能な不揮発性の記憶部である。また、二次記憶部１３は、ＭＰＵ１１による各種情報の読み書きが可能な記憶部でもある。二次記憶部１３は、ＭＰＵ１１に各種の処理を実行させるためのプログラム、ＭＰＵ１１によって参照される情報および書き込まれる情報を記憶する。
【００３８】
［ファイルサーバー７］
図３に示されるように、ファイルサーバー７は、ＣＰＵ（Central Processing Unit）７１、主記憶部７２、補助記憶部７３および通信部７４などを備える。ファイルサーバー７は、例えば、ＮＡＳ（Network Attached Storage）と称されるネットワークストレージに特化した情報処理装置、または、ネットワークストレージ機能を備えたコンピューターなどである。
【００３９】
ＣＰＵ７１は、各種の演算およびデータ処理を実行するプロセッサーである。主記憶部７２は、ＣＰＵ７１に実行させるためのプログラムを一時記憶する揮発性の記憶部である。
【００４０】
補助記憶部７３は、ＣＰＵ７１が参照する各種データを記憶するコンピューター読取可能な不揮発性の記憶部である。また、補助記憶部７３は、ＣＰＵ７１による各種データの読み書きが可能な記憶部でもある。
【００４１】
補助記憶部７３は、ＣＰＵ７１に各種の処理を実行させるためのプログラムも記憶する。なお、例えば、補助記憶部７３がハードディスクドライブなどであることが考えられる。
【００４２】
通信部７４は、通信回線１０１を通じて画像処理装置１０および情報端末８との間でデータの送受信を行う通信インターフェイスである。ＣＰＵ７１が通信回線１０１を通じてデータを送信または受信する処理においては、通信部７４がＣＰＵ７１と画像処理装置１０および情報端末８との間のデータ通信を中継する。
【００４３】
ところで、小学校などの教育機関において、図４に示されるような添削答案が原稿９００として作成される場合がある。図４に示される前記添削答案は、設問情報ｇ１および解答情報ｇ３などの記載を含む。
【００４４】
前記教育機関において、テストの答案の添削者は、解答の正誤を表すマル印およびバツ印などの採点情報ｇ４に加え、補足情報を表す補足画像ｇ５を解答用紙に追記する場合が多い。前記補足情報は、例えば、不正解のテスト項目に関する正しい解答の情報および誤答の内容に応じた解説情報などである。
【００４５】
また、添削後の前記解答用紙を受け取った生徒は、不正解のテスト項目の解答のやり直しを行う。その際、前記生徒が、最初は前記補足情報を見ずに前記やり直しを行えることが好ましい場合がある。この場面においては、補足画像ｇ５が前記答案用紙に示されていないことが望ましい。
【００４６】
一方、前記テストの添削に関わっていない前記生徒の保護者などの補助指導者が、添削後の前記テストの前記やり直しについて、前記生徒への指導を行う場合がある。この場合、前記補助指導者が前記補足情報を参照できれば、より適切な指導が行われやすい。この場面においては、補足画像ｇ５が前記答案用紙に示されていることが望ましい。
【００４７】
画像処理装置１０は、テストの答案用紙などの原稿９００の画像に、その画像を参照する人に応じて要否が異なる補足情報の画像が含まれる場合に、答案分別配信処理を実行可能である。前記答案分別配信処理が実行されることにより、参照する人に適した内容の原稿画像を提供することが可能になる。
【００４８】
［前記答案分別配信処理］
前記答案分別配信処理の概要は以下の通りである。まず、画像処理装置１０は、原稿９００から補足画像ｇ５を含む原画像ｇ０を読み取る。さらに、画像処理装置１０は、原画像ｇ０から補足画像ｇ５を除去することによって二次画像ｇ０１のデータを生成する。さらに、画像処理装置１０は、原画像ｇ０のデータと二次画像ｇ０１のデータとをそれぞれ異なる宛先へ送信する。
【００４９】
以下、図５に示されるフローチャートを参照しつつ、画像処理装置１０が実行する前記答案分別配信処理の手順の一例について説明する。以下の説明において、Ｓ１０１，Ｓ１０２，…は、画像処理装置１０のＭＰＵ１１、読取制御部３０および画像処理部７０が前記答案分別配信処理において実行する各工程の識別符号を表す。
【００５０】
＜工程Ｓ１０１＞
前記答案分別配信処理において、まず、ＭＰＵ１１が、条件設定処理を実行する。前記条件設定処理は、操作表示部２に対する操作に従って、補足画像条件を含む各種の条件を設定する処理である。前記補足画像条件は、原画像ｇ０から補足画像ｇ５を検出する処理において判定される条件である。
【００５１】
なお、ＭＰＵ１１が条件設定プログラムＰｒ１を実行することにより、ＭＰＵ１１による前記条件設定処理が実現される。
【００５２】
前記条件設定処理において、ＭＰＵ１１は、例えば図７に示されるような条件設定画面ｆ０１を操作表示部２に表示させる。条件設定画面ｆ０１は、指定色選択アイコンｆ１、画像色指定アイコンｆ２、枠色指定アイコンｆ３、例外処理選択アイコンｆ４、追送処理選択アイコンｆ５、追送日時設定アイコンｆ６、ＩＤマーク選択アイコンｆ７、実行アイコンｆ８および中止アイコンｆ９などを含む。
【００５３】
指定色選択アイコンｆ１は、補足画像ｇ５の検出の指定色を予め定められた複数の候補の中から選択する操作を受け付けるアイコンである。画像色指定アイコンｆ２は、前記指定色が補足画像ｇ５の色であることを指定する操作を受け付けるアイコンである。枠色指定アイコンｆ３は、前記指定色が補足画像ｇ５を囲む枠の色であることを指定する操作を受け付けるアイコンである。画像色指定アイコンｆ２および枠色指定アイコンｆ３は、いずれか一方のみを指定可能なアイコンである。
【００５４】
図４に示される原画像ｇ０において、補足画像ｇ５と、採点情報ｇ４の画像と、その他の画像とが異なる色の画像であることが考えられる。
【００５５】
例えば、図４に示される原画像ｇ０において、補足画像ｇ５の色が青色であり、採点情報ｇ４の画像の色が赤色であり、その他の画像の色が黒色であることなどが考えられる。この場合、条件設定画面ｆ０１において、青色が前記指定色として選択され、かつ、画像色指定アイコンｆ２による指定が選択される。
【００５６】
一方、図８に示されるように、原画像ｇ０１において、補足画像ｇ５が青色の枠ｇ５０で囲まれており、枠ｇ５０の外側の画像が青色ではない場合が考えられる。この場合、条件設定画面ｆ０１において、青色が前記指定色として選択され、かつ、枠色指定アイコンｆ３による指定が選択される。
【００５７】
本実施形態において、指定色選択アイコンｆ１によって設定される前記指定色の条件と、画像色指定アイコンｆ２または枠色指定アイコンｆ３によって設定される条件とが、前記補足画像条件である。また、前記指定色の条件および枠色指定アイコンｆ３によって設定される条件の組合せは、補足画像ｇ５が存在する画像領域を指定する条件の一例である。なお、前記補足画像条件が、予め設定された一定の画像領域を指定する条件であることも考えられる。
【００５８】
例外処理選択アイコンｆ４は、後述する例外処理を有効にするか無効にするかを選択する操作を受け付けるアイコンである。追送処理選択アイコンｆ５は、後述する答案追送処理を有効にするか無効にするかを選択する操作を受け付けるアイコンである。
【００５９】
追送日時設定アイコンｆ６は、前記答案追送処理を実行する日時を設定する操作を受け付けるアイコンである。前記答案追送処理を有効にする選択が行われた場合にのみ、追送日時設定アイコンｆ６による日時の設定が可能である。
【００６０】
図４に示されるように、前記添削答案の原稿９００の原画像ｇ０は、原稿９００の識別情報である原稿識別コードｇ２を含む。本実施形態において、原稿識別コードｇ２は、前記添削答案における解答情報ｇ３を記入した生徒の識別コードである。
【００６１】
また、図４に示される例では、原画像ｇ０は、原稿識別コードｇ２の位置を特定する２つのＩＤマークｇ２０を含む。原稿識別コードｇ２は、２つのＩＤマークｇ２０の間に記録されている。
【００６２】
ＩＤマーク選択アイコンｆ７は、ＩＤマークｇ２０を予め定められた複数の候補の中から選択する操作を受け付けるアイコンである。
【００６３】
実行アイコンｆ８が操作された場合、ＭＰＵ１１は、各種条件の設定内容を確定し、処理を次の工程へ進める。また、中止アイコンｆ９が操作された場合、ＭＰＵ１１は、前記答案分別配信処理を中止する。実行アイコンｆ８が操作される前に、前記添削答案の原稿９００が、画像読取部２０にセットされる。
【００６４】
＜工程Ｓ１０２＞
前記条件設定処理においてＭＰＵ１１が実行アイコンｆ８の操作を検知すると、読取制御部３０が、画像読取部２０に原稿９００の画像の読取処理を実行させる。これにより、画像読取部２０は、前記添削答案の原稿９００から原画像ｇ０を読み取り、原画像データＤ０１を生成する。原画像データＤ０１は、画像読取部２０から画像処理部７０へ転送される。
【００６５】
画像読取部２０が、ＡＤＦ（Auto Document Feeder）によって複数枚の原稿９００から複数ページ分の画像を読み取り、複数ページ分の原画像データＤ０１を出力する場合もある。
【００６６】
＜工程Ｓ１０３＞
次に、画像処理部７０の識別コード認識部７ａが、原画像データＤ０１から、原画像ｇ０に含まれる原稿識別コードｇ２を認識する処理を実行する。
【００６７】
工程Ｓ１０３において、画像処理部７０は、原画像ｇ０から２つのＩＤマークｇ２０を検出し、さらに、２つのＩＤマークｇ２０の間に存在する文字列を原稿識別コードｇ２として認識する。
【００６８】
識別コード認識部７ａは、原画像ｇ０のデータから原稿識別コードｇ２を表す識別画像を検出することによって原稿識別コードｇ２を取得する識別情報取得部の一例である。また、原稿識別コードｇ２を表す文字列の画像が前記識別画像の一例である。
【００６９】
なお、原稿識別コードｇ２を表す画像が、バーコードの画像またはＱＲコード（登録商標）の画像などであることも考えられる。この場合、ＩＤマークｇ２０の設定および検出が行われないことも考えられる。
【００７０】
＜工程Ｓ１０４＞
次に、ＭＰＵ１１が、宛先情報取得処理を実行する。前記宛先情報取得処理は、非一時的およびコンピューター読み取り可能な二次記憶部１３から、工程Ｓ１０３で得られた原稿識別コードｇ２に対応する２つの宛先情報を取得する処理である。
【００７１】
本実施形態において、図１０に示されるような構成を有する登録宛先データＤ１が予め二次記憶部１３に記憶されている。登録宛先データＤ１は、原稿識別コードｇ２の候補と第１宛先情報Ｄ１１と第２宛先情報Ｄ１２とが対応づけられた前記宛先情報の一例である。なお、二次記憶部１３は前記宛先情報を予め記憶する記憶部の一例である。
【００７２】
第１宛先情報Ｄ１１は、前記補助指導者に対応する宛先情報である。前記補助指導者は、前記添削答案における解答情報ｇ３を記入した前記生徒の保護者などである。また、第２宛先情報Ｄ１２は、前記添削答案における解答情報ｇ３を記入した前記生徒に対応する宛先情報である。
【００７３】
本実施形態において、第１宛先情報Ｄ１１および第２宛先情報Ｄ１２は、ファイルサーバー７のアクセス先を表すＵＲＬなどの情報である。そのため、登録宛先データＤ１は、第１宛先情報Ｄ１１に対応する第１認証情報Ｄ１３と、第２宛先情報Ｄ１２に対応する第２認証情報Ｄ１４とを含む。第１認証情報Ｄ１３および第２認証情報Ｄ１４は、ファイルサーバー７にデータを送信する、即ち、アップロードするために必要なパスワードなどの情報である。
【００７４】
また、登録宛先データＤ１には、原稿識別コードｇ２に対応づけられた例外指定情報Ｄ１５が含まれる。例外指定情報Ｄ１５は、後述する例外処理の要否を表す情報である。図１０に示される例において、例外指定情報Ｄ１５が"ＯＦＦ"であることは、前記例外処理が不要であることを表し、例外指定情報Ｄ１５が"ＯＮ"であることは、前記例外処理が必要であることを表す。
【００７５】
なお、登録宛先データＤ１における原稿識別コードｇ２および例外指定情報Ｄ１５は、例外対応情報の一例である。また、二次記憶部１３は、前記例外対応情報を予め記憶する記憶部の一例である。
【００７６】
前述したように、前記生徒が、最初は補足画像ｇ５を見ずに、不正解のテスト項目の解答のやり直しを行うことが好ましい場合が多い。しかしながら、一部の前記生徒について、教師または保護者などが、補足画像ｇ５を参照しつつ前記やり直しを行うことが望ましいと判断することもある。そのように判断された前記生徒に対応する例外指定情報Ｄ１５が"ＯＮ"に設定される。
【００７７】
ＭＰＵ１１が情報取得プログラムＰｒ２を実行することにより、工程Ｓ１０４の処理が実現される。情報取得プログラムＰｒ２を実行するＭＰＵ１１は、前記宛先記憶部から第１宛先情報Ｄ１１および第２宛先情報Ｄ１２を取得する宛先情報取得部の一例である。さらに、情報取得プログラムＰｒ２を実行するＭＰＵ１１は、工程Ｓ１０３の処理によって得られた原稿識別コードｇ２に対応する例外指定情報Ｄ１５を取得する例外指定情報取得部の一例でもある。
【００７８】
＜工程Ｓ１０５＞
次に、画像処理部７０の補足画像検出部７ｂが、工程Ｓ１０１で設定された前記補足画像条件を満たす補足画像ｇ５を原画像データＤ０１から検出する。
【００７９】
例えば、条件設定画面ｆ０１の画像色指定アイコンｆ２による指定が選択された場合、画像処理部７０は、原画像ｇ０における前記指定色の画像を補足画像ｇ５として検出する。
【００８０】
一方、条件設定画面ｆ０１の枠色指定アイコンｆ３による指定が選択された場合、画像処理部７０は、まず、原画像ｇ０における前記指定色の画像を枠ｇ５０の画像として検出する。さらに、画像処理部７０は、枠ｇ５０の内側の画像を補足画像ｇ５として検出する。
【００８１】
＜工程Ｓ１０６＞
続いて、画像処理部７０の二次画像生成部７ｃが、原画像ｇ０から補足画像ｇ５を除去した二次画像ｇ０１のデータを生成する。条件設定画面ｆ０１の枠色指定アイコンｆ３による指定が選択された場合、二次画像生成部７ｃは、原画像ｇ０から枠ｇ５０の画像も除去する。
【００８２】
図９は、図４または図８に示される原画像ｇ０のデータを元にした工程Ｓ１０６の処理により得られる二次画像ｇ０１の一例を示す。二次画像ｇ０１は採点情報ｇ４の画像を含む。そのため、二次画像ｇ０１の参照によって不正解のテスト項目を確認することができる。
【００８３】
＜工程Ｓ１０７＞
次に、ＭＰＵ１１が、通信回線１０１を通じて、原画像データＤ０１を工程Ｓ１０４の処理で得られた第１宛先情報Ｄ１１が表す宛先へ送信する。第１宛先情報Ｄ１１が表す宛先は、ファイルサーバー７の補助記憶部７３における予め割り当てられた記憶領域である。
【００８４】
工程Ｓ１０７において、ＭＰＵ１１は、工程Ｓ１０４の処理で得られた第１認証情報Ｄ１３をファイルサーバー７へ送信することにより、ファイルサーバー７に認証処理を要求する。ＭＰＵ１１は、ファイルサーバー７から前記認証処理が成功した旨の応答を受信したときに、原画像データＤ０１をファイルサーバー７へ送信する。
【００８５】
一方、ファイルサーバー７において、ＣＰＵ７１が、アップロードプログラムＰｒ１１を実行することにより、アップロード処理を実行する。前記アップロード処理において、ＣＰＵ７１は、画像処理装置１０から第１認証情報Ｄ１３を受信する。さらに、ＣＰＵ７１は、受信した第１認証情報Ｄ１３に基づく認証処理を実行する。
【００８６】
前記認証処理において、ＣＰＵ７１は、受信した第１認証情報Ｄ１３と予め補助記憶部７３に記憶された認証データベースに含まれる登録認証情報とを照合することにより、認証の成否を判定する。さらに、ＣＰＵ７１は、認証の判定結果を画像処理装置１０へ送信する。
【００８７】
前記認証処理が成功した場合、ＣＰＵ７１は、画像処理装置１０から原画像データＤ０１を受信し、受信データを補助記憶部７３に保存する。これにより、原画像データＤ０１が、補助記憶部７３において第１認証情報Ｄ１３に対応するユーザーごとに予め割り当てられた記憶領域に保存される。本実施形態において、第１認証情報Ｄ１３に対応するユーザーは、原稿９００の元になる答案を作成した生徒の保護者などの前記補助指導者である。
【００８８】
＜工程Ｓ１０８＞
また、ＭＰＵ１１は、工程Ｓ１０１において、例外処理選択アイコンｆ４の操作によって前記例外処理が有効に設定されているか否かを判定する（図７参照）。
【００８９】
＜工程Ｓ１０９＞
前記例外処理が有効に設定されている場合、ＭＰＵ１１は、工程Ｓ１０４で得られた例外指定情報Ｄ１５が、前記例外処理が不要であることを表しているか否かを判定する。なお、工程Ｓ１０４で得られた例外指定情報Ｄ１５は、原画像ｇ０に含まれる原稿識別コードｇ２に対応する例外指定情報Ｄ１５である。
【００９０】
例外指定情報Ｄ１５が、前記例外処理が必要であることを表している場合、ＭＰＵ１１は、後述する工程Ｓ１１３へ処理を移行させる。
【００９１】
＜工程Ｓ１１０＞
例外指定情報Ｄ１５が、前記例外処理が不要であることを表している場合、または、前記例外処理が有効に設定されている場合、ＭＰＵ１１は、工程Ｓ１１０の処理を実行する。工程Ｓ１１０において、ＭＰＵ１１は、通信回線１０１を通じて、二次画像データＤ０２を工程Ｓ１０４の処理で得られた第２宛先情報Ｄ１２が表す宛先へ送信する。第２宛先情報Ｄ１２が表す宛先は、ファイルサーバー７の補助記憶部７３における予め割り当てられた記憶領域である。
【００９２】
工程Ｓ１１０において、ＭＰＵ１１は、工程Ｓ１０４の処理で得られた第２認証情報Ｄ１４をファイルサーバー７へ送信することにより、ファイルサーバー７に認証処理を要求する。ＭＰＵ１１は、ファイルサーバー７から前記認証処理が成功した旨の応答を受信したときに、二次画像データＤ０２をファイルサーバー７へ送信する。
【００９３】
ＭＰＵ１１がデータ送信プログラムＰｒ３を実行することにより、工程Ｓ１０７〜１１０の処理が実現される。工程Ｓ１０７，Ｓ１１０において、ＭＰＵ１１は、通信回線１０１を通じて、原画像データＤ０１を第１宛先情報Ｄ１１が表す宛先へ送信し、二次画像データＤ０２を第２宛先情報Ｄ１２が表す宛先へ送信する。データ送信プログラムＰｒ３を実行するＭＰＵ１１は、データ送信部の一例である。
【００９４】
一方、ファイルサーバー７において、ＣＰＵ７１が、アップロードプログラムＰｒ１１を実行することにより、前記アップロード処理を実行する。前記アップロード処理において、ＣＰＵ７１は、画像処理装置１０から第２認証情報Ｄ１４を受信する。さらに、ＣＰＵ７１は、受信した第２認証情報Ｄ１４に基づく前記認証処理を実行する。
【００９５】
前記認証処理において、ＣＰＵ７１は、受信した第２認証情報Ｄ１４と前記認証データベースに含まれる前記登録認証情報とを照合することにより、認証の成否を判定する。さらに、ＣＰＵ７１は、認証の判定結果を画像処理装置１０へ送信する。
【００９６】
前記認証処理が成功した場合、ＣＰＵ７１は、画像処理装置１０から二次画像データＤ０２を受信し、受信データを補助記憶部７３に保存する。これにより、二次画像データＤ０２が、補助記憶部７３において第２認証情報Ｄ１４に対応するユーザーごとに予め割り当てられた記憶領域に保存される。本実施形態において、第２認証情報Ｄ１４に対応するユーザーは、原稿９００の元になる答案を作成した生徒である。
【００９７】
＜工程Ｓ１１１＞
次に、ＭＰＵ１１は、工程Ｓ１０１において、追送処理選択アイコンｆ５の操作によって前記答案追送処理が有効に設定されているか否かを判定する（図７参照）。前記答案追送処理が無効に設定されている場合、前記答案分別配信処理が終了する。
【００９８】
＜工程Ｓ１１２＞
前記答案追送処理が有効に設定されている場合、ＭＰＵ１１は、追送データＤ２を二次記憶部１３へ記録する。工程Ｓ１１２の処理が行われた後、前記答案分別配信処理が終了する。
【００９９】
図１１に示されるように、追送データＤ２は、相互に対応づけられた原稿識別コードｇ２、原画像データＤ０１および日時情報Ｄ２１を含む。追送データＤ２の原稿識別コードｇ２は、第２宛先情報Ｄ１２が表す宛先へ送信された二次画像データＤ０２に対応する原稿識別コードｇ２である。
【０１００】
原稿識別コードｇ２は、登録宛先データＤ１において、二次画像データＤ０２の送信先である第２宛先情報Ｄ１２と対応づけられている。従って、追送データＤ２の原稿識別コードｇ２は、二次画像データＤ０２の送信先を特定可能な送信先情報の一例である。
【０１０１】
追送データＤ２の二次画像データＤ０２は、第２宛先情報Ｄ１２が表す宛先へ送信された二次画像データＤ０２である。また、追送データＤ２の日時情報Ｄ２１は、工程Ｓ１０１において、条件設定画面ｆ０１の追送日時設定アイコンｆ６の操作により設定された日時の情報である。
【０１０２】
ＭＰＵ１１が原画像記録プログラムＰｒ４を実行することにより、工程Ｓ１１２の処理が実現される。原画像記録プログラムＰｒ４を実行するＭＰＵ１１は、原画像データＤ０１およびその送信先を特定可能な前記送信先情報を二次記憶部１３へ記憶させる原画像記録部の一例である。二次記憶部１３は、非一時的およびコンピューター読み取り可能な原画像記憶部の一例である。
【０１０３】
＜工程Ｓ１１３＞
例外指定情報Ｄ１５が、前記例外処理が必要であることを表している場合、ＭＰＵ１１は、工程Ｓ１１３の処理を実行する。工程Ｓ１１３の処理が行われた後、前記答案分別配信処理が終了する。
【０１０４】
工程Ｓ１１３において、ＭＰＵ１１は、通信回線１０１を通じて、原画像データＤ０１を工程Ｓ１０４の処理で得られた第２宛先情報Ｄ１２が表す宛先へ送信する。この場合、二次画像データＤ０２はファイルサーバー７へ送信されない。第２宛先情報Ｄ１２が表す宛先は、ファイルサーバー７の補助記憶部７３における予め割り当てられた記憶領域である。
【０１０５】
工程Ｓ１１３において、ＭＰＵ１１は、工程Ｓ１０４の処理で得られた第２認証情報Ｄ１４をファイルサーバー７へ送信することにより、ファイルサーバー７に認証処理を要求する。ＭＰＵ１１は、ファイルサーバー７から前記認証処理が成功した旨の応答を受信したときに、原画像データＤ０１をファイルサーバー７へ送信する。
【０１０６】
ＭＰＵ１１がデータ送信プログラムＰｒ３を実行することにより、工程Ｓ１１０，Ｓ１１３の処理が実現される。ＭＰＵ１１は、前記例外処理が不要であることを表す例外指定情報Ｄ１５が得られた場合には、二次画像データＤ０２を第２宛先情報Ｄ１２が表す宛先へ送信する（Ｓ１１０）。一方、ＭＰＵ１１は、前記例外処理が必要であることを表す例外指定情報Ｄ１５が得られた場合には、二次画像データＤ０２に代えて原画像データＤ０１を第２宛先情報Ｄ１２が表す宛先へ送信する（Ｓ１１３）。
【０１０７】
一方、ファイルサーバー７のＣＰＵ７１が、画像処理装置１０の工程Ｓ１１３の処理に対応して、アップロードプログラムＰｒ１１を実行する。これにより、ＣＰＵ７１は、前記認証処理および原画像データＤ０１の受信処理を実行する。その結果、原画像データＤ０１が、補助記憶部７３において第２認証情報Ｄ１４に対応するユーザーごとに予め割り当てられた記憶領域に保存される。
【０１０８】
前記答案分別配信処理が終了すると、原稿９００の元になる答案を作成した前記生徒は、情報端末８を操作することによって二次画像データＤ０２を情報端末８にダウンロードすることが可能になる。さらに、前記生徒は、情報端末８の表示部に表示された二次画像ｇ０１を参照しつつ、不正解のテスト項目の解答のやり直しを行うことができる。その際、前記生徒は、補足画像ｇ５を参照できない。
【０１０９】
但し、補足画像ｇ５の参照が必要であると予め判断された一部の前記生徒については、その生徒に対応する例外指定情報Ｄ１５が"ＯＮ"に設定されている。そのような生徒は、例外的に、原画像データＤ０１を情報端末８にダウンロードすることが可能になる。
【０１１０】
また、前記答案分別配信処理が終了すると、前記生徒の保護者などの前記補助指導者は、情報端末８を操作することによって原画像データＤ０１を情報端末８にダウンロードすることが可能になる。さらに、前記補助指導者は、情報端末８の表示部に表示された原画像ｇ０の補足画像ｇ５を参照しつつ、前記生徒に対して不正解のテスト項目に関する適切な指導を行うことができる。
【０１１１】
なお、ファイルサーバー７のＣＰＵ７１は、ダウンロードプログラムＰｒ１２を実行することにより、情報端末８からの要求に応じて補助記憶部７３内の原画像データＤ０１および二次画像データＤ０２を情報端末８へ送信する。その際、ＣＰＵ７１は、画像処理装置１０との間で行われる前記認証処理と同様に、情報端末８との間で前記認証処理を実行する。
【０１１２】
［前記答案追送処理］
前記答案追送処理は、予め定められた追送条件が成立したときに、追送データＤ２に含めて保存された原画像データＤ０１を、それに対応する第２宛先情報Ｄ１２の宛先へ送信する処理である。
【０１１３】
図６に示されるフローチャートを参照しつつ、画像処理装置１０のＭＰＵ１１が実行する前記答案追送処理の手順の一例について説明する。以下の説明において、Ｓ２０１，Ｓ２０２，Ｓ２０３は、ＭＰＵ１１が前記答案追送処理において実行する各工程の識別符号を表す。なお、工程Ｓ２０１〜Ｓ２０３の処理は、二次画像データＤ０２が第２宛先情報Ｄ１２が表す宛先へ送信された後に実行される。
【０１１４】
＜工程Ｓ２０１＞
前記答案追送処理において、ＭＰＵ１１は、前記追送条件が成立するか否かを判定する処理を随時実行する。例えば、ＭＰＵ１１は、１つ以上の追送データＤ２が追送データＤ２に含まれる限り、一定周期で工程Ｓ２０１の処理を実行する。
【０１１５】
本実施形態において、前記追送条件は、原画像データＤ０１に関連づけて記録された日時情報Ｄ２１が表す日時が到来したという条件である。日時情報Ｄ２１は、図５の工程Ｓ１１２において追送データＤ２の一部として記録された情報である（図１１参照）。
【０１１６】
複数の原画像データＤ０１が追送データＤ２に含まれる場合、ＭＰＵ１１は、原画像データＤ０１各々について、工程Ｓ２０１〜Ｓ２０４の処理を実行する。
【０１１７】
ＭＰＵ１１が追送条件判定プログラムＰｒ５を実行することにより、工程Ｓ２０１の処理が実現される。追送条件判定プログラムＰｒ５を実行するＭＰＵ１１は追送条件判定部の一例である。
【０１１８】
＜工程Ｓ２０２＞
前記追送条件が成立すると、ＭＰＵ１１は、登録宛先データＤ１を記憶する二次記憶部１３から、成立した前記追送条件の日時情報Ｄ２１に対応する原画像データＤ０１および第２宛先情報Ｄ１２を取得する。
【０１１９】
ＭＰＵ１１が追送画像取得プログラムＰｒ６を実行することにより、工程Ｓ２０２の処理が実現される。追送画像取得プログラムＰｒ６を実行するＭＰＵ１１は、原画像データＤ０１および前記送信先情報を取得する追送画像取得部の一例である。
【０１２０】
＜工程Ｓ２０３＞
次に、ＭＰＵ１１は、通信回線１０１を通じて、工程Ｓ２０２で得られた原画像データＤ０１をこれに対応する宛先へ送信する。ここで、原画像データＤ０１の送信の宛先は、工程Ｓ２０２で得られた第２宛先情報Ｄ１２が表す宛先であり、原画像データＤ０１に対応する原稿識別コードｇ２によって特定される宛先である。
【０１２１】
＜工程Ｓ２０４＞
さらに、ＭＰＵ１１は、第２宛先情報Ｄ１２の宛先への送信が完了した原画像データＤ０１を、追送データＤ２から削除する。工程Ｓ２０４の処理が行われた後、前記答案追送処理が終了する。
【０１２２】
ＭＰＵ１１がデータ送信プログラムＰｒ３を実行することにより、工程Ｓ２０３，Ｓ２０４の処理が実現される。工程Ｓ２０３，Ｓ２０４の処理は、前記追送条件が成立した場合に実行される。
【０１２３】
なお、ＭＰＵ１１は、１つ以上の原画像データＤ０１が追送データＤ２に残っている場合に、前記答案追送処理を随時実行する。
【０１２４】
前記答案追送処理が終了すると、原稿９００の元になる答案を作成した前記生徒は、情報端末８を操作することによって原画像データＤ０１を情報端末８にダウンロードすることが可能になる。但し、このダウンロードは、前記生徒が不正解のテスト項目の解答のやり直しを行うための一定の期間が経過した後に可能になる。これにより、前記生徒は、情報端末８の表示部に表示された原画像ｇ０の補足画像ｇ５を参照することにより、不正解のテスト項目の正解または補足説明などを確認することができる。
【０１２５】
以上に示されるように、本実施形態によれば、テストの答案用紙などの原稿９００の画像に補足画像ｇ５が含まれる場合に、その画像を参照する人に適した内容の原稿画像を提供することができる。
【０１２６】
[応用例]
以上に示された画像処理装置１０において、登録宛先データＤ１および追送データＤ２の一方または両方が、画像処理装置１０が通信可能な他の装置の記憶部に記憶されることが考えられる。
【０１２７】
例えば、登録宛先データＤ１が、ＬＡＮ１０２内の他のコンピューターが備える記憶装置、または、ファイルサーバー７の補助記憶部７３に記憶されていることが考えられる。この場合、画像処理装置１０のＭＰＵ１１は、図４の工程Ｓ１０４において、ＬＡＮ１０２または通信回線１０１を通じて第１宛先情報Ｄ１１および第２宛先情報Ｄ１２などを取得する。
【０１２８】
また、追送データＤ２が、ＬＡＮ１０２内の他のコンピューターが備える記憶装置、または、ファイルサーバー７の補助記憶部７３に保存されることが考えられる。この場合、画像処理装置１０のＭＰＵ１１は、図４の工程Ｓ１１２において、ＬＡＮ１０２または通信回線１０１を通じて、前記他のコンピューターまたはファイルサーバー７に対し、追送データＤ２を送信し、さらにそのデータの保存を要求する。
【０１２９】
また、答案管理システム１００において、メールサーバーがファイルサーバー７として採用されることも考えられる。この場合、第１宛先情報Ｄ１１および第２宛先情報Ｄ１２は、前記補助指導者および前記生徒のメールアドレスである。そして、図４の工程Ｓ１０７，Ｓ１１０，Ｓ１１３および図６の工程Ｓ２０３において、画像処理装置１０のＭＰＵ１１が、原画像データＤ０１または二次画像データＤ０２を電子メールの添付データとして送信する。また、情報端末８は、原画像データＤ０１または二次画像データＤ０２が添付された前記電子メールのデータを前記メールサーバーからダウンロードする。
【０１３０】
また、前記追送条件が、原画像データＤ０１および二次画像データＤ０２がそれぞれ第１宛先情報Ｄ１１および第２宛先情報Ｄ１２の宛先へ送信された時点から、予め設定された期間が経過した、という条件であることも考えられる。この場合、図７に示される条件設定画面ｆ０１において、前記期間の情報が、日時情報Ｄ２１の代わりに設定される。
【０１３１】
また、前記追送条件が、操作表示部２に対して予め定められた追送開始の操作が行われた、という条件であることも考えられる。
【０１３２】
また、第１宛先情報Ｄ１１，第２宛先情報Ｄ１２，第１認証情報Ｄ１３および第２認証情報Ｄ１４と、例外指定情報Ｄ１５とが、それぞれ原稿識別コードｇ２に対応づけられた別個のデータとして二次記憶部１３などに記憶されていることも考えられる。
【０１３３】
また、図５に示される前記答案分別配信処理において、工程Ｓ１０８の処理が省略されること、または工程Ｓ１０８，Ｓ１０９，Ｓ１１３の処理が省略されることも考えられる。また、図５の工程Ｓ１１１，Ｓ１１２の処理および前記答案追送処理（工程Ｓ２０１〜Ｓ２０４））が省略されることも考えられる。
【０１３４】
なお、本発明に係る画像処理装置は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【０１３５】
１        ：主制御部
２        ：操作表示部
７        ：ファイルサーバー
８        ：情報端末
９        ：バス
１０      ：画像処理装置
１１      ：ＭＰＵ
１２      ：ＲＡＭ
１３      ：二次記憶部（宛先記憶部、例外対応記憶部、原画像記憶部）
２０      ：画像読取部
３０      ：読取制御部
４０      ：画像形成部
５０      ：印刷制御部
６０      ：通信部
７０      ：画像処理部
７ａ      ：識別コード認識部
７ｂ      ：補足画像検出部
７ｃ      ：二次画像生成部
７１      ：ＣＰＵ
７２      ：主記憶部
７３      ：補助記憶部
７４      ：通信部
１００    ：答案管理システム
１０１    ：通信回線
１０３    ：インターネット
１０４    ：通信中継器
９００    ：原稿
９０１    ：シート材
Ｄ０１    ：原画像データ
Ｄ０２    ：二次画像データ
Ｄ１      ：登録宛先データ
Ｄ１１    ：第１宛先情報
Ｄ１２    ：第２宛先情報
Ｄ１３    ：第１認証情報
Ｄ１４    ：第２認証情報
Ｄ１５    ：例外指定情報
Ｄ２      ：追送データ
Ｄ２１    ：日時情報
Ｐｒ１    ：条件設定プログラム
Ｐｒ２    ：情報取得プログラム
Ｐｒ３    ：データ送信プログラム
Ｐｒ４    ：原画像記録プログラム
Ｐｒ５    ：追送条件判定プログラム
Ｐｒ６    ：追送画像取得プログラム
Ｐｒ１１  ：アップロードプログラム
Ｐｒ１２  ：ダウンロードプログラム
ｆ０１    ：条件設定画面
ｆ１      ：指定色選択アイコン
ｆ２      ：画像色指定アイコン
ｆ３      ：枠色指定アイコン
ｆ４      ：例外処理選択アイコン
ｆ５      ：追送処理選択アイコン
ｆ６      ：追送日時設定アイコン
ｆ７      ：ＩＤマーク選択アイコン
ｆ８      ：実行アイコン
ｆ９      ：中止アイコン
ｇ０      ：原画像
ｇ０１    ：二次画像
ｇ１      ：設問情報
ｇ２      ：原稿識別コード
ｇ２０    ：ＩＤマーク
ｇ３      ：解答情報
ｇ４      ：採点情報
ｇ５      ：補足画像
ｇ５０    ：枠
【図１】
0006288036.tif 000002
【図２】
0006288036.tif 000003
【図３】
0006288036.tif 000004
【図４】
0006288036.tif 000005
【図５】
0006288036.tif 000006
【図６】
0006288036.tif 000007
【図７】
0006288036.tif 000008
【図８】
0006288036.tif 000009
【図９】
0006288036.tif 000010
【図１０】
0006288036.tif 000011
【図１１】
0006288036.tif 000012